(57)【要約】【課題】通話手段を備えた情報読取装置に関し、無線タグの読取効率の低下を抑制し得る情報読取装置を提供する。【解決手段】制御部１１は、外部端末Ｐからの通話要求を受信し（Ｓ１０９）且つ読取処理中であることが検出されると（Ｓ１０５およびＳ１１３）、通話保留処理にて通話部１６を通話保留状態に切り替えている（Ｓ１１１）。また、通話保留状態時に、読取処理の終了が検出されると（Ｓ１１３）、通話部１６を通話状態に切り替えている（Ｓ１１５）。【選択図】図２
2011199367.tif 000002
【特許請求の範囲】
【請求項１】
無線タグに記憶されるタグ情報の読み取りを行う読取手段と、外部端末と通話可能な通話手段とを備えた情報読取装置であって、
前記読取手段により行われる読取処理の処理状態を検出する処理状態検出手段と、
前記外部端末からの通話要求を受信する通話要求受信手段と、
前記通話手段を前記通話要求に応じた通話状態と前記通話要求に対して通話を保留する通話保留状態とに切り替える切替手段と、
を備え、
前記切替手段は、前記通話要求受信手段により前記通話要求を受信し且つ前記処理状態検出手段により前記読取処理中であることが検出されると前記通話手段を前記通話保留状態に切り替え、この通話保留状態時に前記処理状態検出手段により当該読取処理の終了が検出されると前記通話手段を前記通話状態に切り替えることを特徴とする情報読取装置。
【請求項２】
前記読取処理は、
前記無線タグのタグ情報を取得する取得処理と、
前記取得処理により取得された前記タグ情報を解析する解析処理と、
前記解析処理により解析された前記タグ情報の解析データを外部に出力する出力処理と、からなり、
前記切替手段は、前記通話保留状態時に前記処理状態検出手段により前記読取処理のいずれかの処理の終了が検出されると前記通話手段を前記通話状態に切り替えることを特徴とする請求項１に記載の情報読取装置。
【請求項３】
前記取得処理は、所定数の前記無線タグの前記タグ情報を取得するとその処理を終了し、
前記解析処理は、前記取得処理により取得された前記所定数の前記タグ情報を解析するとその処理を終了することを特徴とする請求項２に記載の情報読取装置。
【請求項４】
前記通話要求受信手段により前記通話要求を受信してからの経過時間を計時する計時手段を備え、
前記切替手段は、前記計時手段により計時された経過時間が所定時間を超えると、前記処理状態検出手段による前記読取処理の前記処理状態の検出結果にかかわらず前記通話手段を前記通話状態に切り替えることを特徴とする請求項１から請求項３のいずれか一項に記載の情報読取装置。
【発明の詳細な説明】
【技術分野】
【０００１】
本発明は、情報読取装置に関するものである。
【背景技術】
【０００２】
現在、生産現場や物流拠点などで、無線タグを用いて物品管理や物流管理を行うシステムが利用されている。そして、この無線タグに記憶される情報を読み取り可能な情報読取装置が広く提供されている。この主の情報読取装置では、当該読取機能に加えて、外部端末と通話可能な通話機能を備えたものがある。
【０００３】
例えば、このような技術として、下記特許文献１に示すものがある。この特許文献１には、ＲＦＩＤリーダ部を搭載した携帯電話装置が開示されている。そして、この携帯電話装置は、携帯電話通信を行う無線部と、無線部の無線通信を制御する制御部とを備えており、無線部により回線が接続された状態にある回線接続区間でのＲＦＩＤリーダ部の読み取り動作を禁止する信号を、制御部からＲＦＩＤリーダ部に出力するようにしている。
【先行技術文献】
【特許文献】
【０００４】
【特許文献１】特開２００６−２０３５４５号公報
【発明の概要】
【発明が解決しようとする課題】
【０００５】
ところで、上述のように読取機能と通話機能とを備えた情報読取装置では、無線タグとの通信に使用される周波数帯域と、外部端末との通話に使用される周波数帯域とが重複している場合がある。そして、このような場合、読取機能と通話機能とを同時に動作させると、互いの電波が干渉してしまい、通信品質や通話品質を低下させる虞があった。
【０００６】
一方、上記特許文献１では、外部端末と音声通話の通信回線が確立されると、ＲＦＩＤリーダ部の読取動作が強制的に禁止されるため、音声通話と読取動作が同時に行われることがなく、無線タグ（ＲＦＩＤタグ）との通信と外部端末との音声通話の通信との電波の干渉を抑えるという目的は果たすことができる。しかしながら、この技術では、無線タグの読み取り中に通信回線が確立されると、無線タグの読取動作が強制的に中止されてしまうため、通信回線が確立されるまでに読み取ったデータを取得することができず、読取効率が低下してしまうといった問題があった。
【０００７】
本発明は、上述した課題を解決するためになされたものであり、その目的とするところは、通話手段を備えた情報読取装置に関し、無線タグの読取効率の低下を抑制し得る情報読取装置を提供することにある。
【課題を解決するための手段】
【０００８】
上記目的を達成するため、請求項１の発明は、無線タグに記憶されるタグ情報の読み取りを行う読取手段と、外部端末と通話可能な通話手段とを備えた情報読取装置であって、前記読取手段により行われる読取処理の処理状態を検出する処理状態検出手段と、前記外部端末からの通話要求を受信する通話要求受信手段と、前記通話手段を前記通話要求に応じた通話状態と前記通話要求に対して通話を保留する通話保留状態とに切り替える切替手段と、を備え、前記切替手段は、前記通話要求受信手段により前記通話要求を受信し且つ前記処理状態検出手段により前記読取処理中であることが検出されると前記通話手段を前記通話保留状態に切り替え、この通話保留状態時に前記処理状態検出手段により当該読取処理の終了が検出されると前記通話手段を前記通話状態に切り替えることを特徴とする。
【０００９】
請求項２の発明は、請求項１に記載の情報読取装置において、前記読取処理は、前記無線タグのタグ情報を取得する取得処理と、前記取得処理により取得された前記タグ情報を解析する解析処理と、前記解析処理により解析された前記タグ情報の解析データを外部に出力する出力処理と、からなり、前記切替手段は、前記通話保留状態時に前記処理状態検出手段により前記読取処理のいずれかの処理の終了が検出されると前記通話手段を前記通話状態に切り替えることを特徴とする。
【００１０】
請求項３の発明は、請求項２に記載の情報読取装置において、前記取得処理は、所定数の前記無線タグの前記タグ情報を取得するとその処理を終了し、前記解析処理は、前記取得処理により取得された前記所定数の前記タグ情報を解析するとその処理を終了することを特徴とする。
【００１１】
請求項４の発明は、請求項１から３のいずれか一項に記載の情報読取装置において、前記通話要求受信手段により前記通話要求を受信してからの経過時間を計時する計時手段を備え、前記切替手段は、前記計時手段により計時された経過時間が所定時間を超えると、前記処理状態検出手段による前記読取処理の前記処理状態の検出結果にかかわらず前記通話手段を前記通話状態に切り替えることを特徴とする。
【発明の効果】
【００１２】
請求項１の発明では、無線タグに記憶されるタグ情報の読み取りを行う読取手段と、外部端末と通話可能な通話手段とを備えている。さらに、読取手段により行われる読取処理の処理状態を検出する処理状態検出手段と、外部端末からの通話要求を受信する通話要求受信手段と、通話手段を通話状態と通話保留状態とに切り替える切替手段とを備えている。そして、通話要求受信手段により通話要求が受信され且つ処理状態検出手段により読取処理中であることが検出されると、切替手段は通話手段を通話保留状態に切り替えている。また、通話保留状態時に当該読取処理の終了が処理状態検出手段により検出されると、切替手段は通話手段を通話状態に切り替えている。
【００１３】
これにより、当該情報読取装置において、無線タグとの通信に使用される周波数帯域と、外部端末との通話に使用される周波数帯域とが重複していても、外部端末からの通話要求を受信したときに無線タグの読取処理をしている場合には、当該読取処理が終了するまで外部端末との通話が保留にされる。このため、無線タグとの通信および外部端末との通話に使用される電波同士の干渉を抑えることができる。また、この読取処理の終了が検出されてから外部端末との通話の保留が解除されるので、通話が保留にされていた期間中に読み取られた無線タグのデータを確実に処理することができ、無線タグの読取効率の低下を抑制することができる。
【００１４】
請求項２の発明では、読取処理は、無線タグのタグ情報を取得する取得処理と、取得処理により取得されたタグ情報を解析する解析処理と、解析処理により解析されたタグ情報の解析データを外部に出力する出力処理とから構成されている。そして、通話保留状態時に、このいずれかの処理の終了が処理状態検出手段により検出されると、切替手段は通話手段を通話状態に切り替えている。
すなわち、外部端末からの通話要求を受信したときに、上記取得処理、解析処理、出力処理のいずれかの読取処理を実行している場合には、実行されている当該処理が終了すると、後の処理を行うことなく、外部端末との通話の保留が解除されることとなる。このように、外部端末からの通話要求を受信すると、読取処理の区切りの良いところでこの読取処理を一旦終了させて、外部端末との通話の保留を解除するようにしているので、通話が保留にされていた期間中に読み取られた無線タグのデータを確実に処理することができ、無線タグの読取効率の低下を抑制することができるとともに、通話相手（すなわち外部端末）の待ち時間を軽減することができる。
【００１５】
請求項３の発明では、取得処理は、所定数の無線タグのタグ情報を取得するとその処理を終了するようにしており、また、解析処理は、取得処理により取得された所定数のタグ情報を解析するとその処理を終了するようにしている。
すなわち、所定数の無線タグのタグ情報に対して上記取得処理または解析処理を実行しているときに、外部端末からの通話要求を受信した場合であっても、実行している取得処理または解析処理が途中で中止されることなく終了する。これにより、複数（所定数）の無線タグを連続して読み取る場合であっても、無線タグの読取効率の低下を抑制することができるとともに、通話相手（すなわち外部端末）の待ち時間を軽減することができる。
【００１６】
請求項４の発明では、通話要求受信手段により通話要求を受信してからの経過時間を計時する計時手段を備えている。そして、計時手段により計時された経過時間が所定時間を超えると、処理状態検出手段による読取処理の処理状態の検出結果にかかわらず、切替手段は通話手段を通話状態に切り替えるようにしている。
これにより、例えば、読取処理でエラー等が発生して、読取処理の終了が検出できない場合であっても、外部端末の通話要求を受信してからの経過時間が所定時間を超えると、外部端末との通話の保留を確実に解除することができる。
【図面の簡単な説明】
【００１７】
【図１】第１実施形態に係る情報読取装置１０の電気的構成を示すブロック図である。
【図２】第１実施形態における端末処理の流れを例示するフローチャートである。
【図３】第２実施形態における端末処理の流れを例示するフローチャートである。
【図４】第３実施形態における端末処理の流れを例示するフローチャートである。
【発明を実施するための形態】
【００１８】
以下、本発明に係る情報読取装置の実施形態について図を参照して説明する。
［第１実施形態］
まず、第１実施形態に係る情報読取装置１０の構成概要を図１に基づいて説明する。図１は、情報読取装置１０の電気的構成を示すブロック図である。本第１実施形態に係る情報読取装置１０は、無線タグＲに記憶される情報を読み取る読取機能を有するとともに他の携帯電話等を含めた外部端末Ｐと通話する通話機能を有するように構成されている。そして、図１に示すように、情報読取装置１０の筐体内には、読取機能および通話機能を含めた情報読取装置１０全体を制御する制御部１１が設けられている。この制御部１１は、マイコンを主体として構成されるものであり、ＣＰＵ、システムバス、入出力インターフェース等を有しており、メモリ１２とともに情報処理装置を構成し得るもので情報処理機能を有している。また、制御部１１には、表示部１３、キー操作部１４、通信インターフェース１５などが接続されている。
【００１９】
表示部１３は、制御部１１によって制御される構成をなしており、制御部１１から表示処理等に関する指令を受けて動作するようになっている。また、キー操作部１４は、使用者による各キーのキー操作に応じて制御部１１に対して操作信号を与える構成をなしており、制御部１１は、これらからの操作信号を受けて操作信号の内容に応じた動作を行うようになっている。通信インターフェース１５は、外部装置等との間でのデータ通信を行うためのインターフェースとして構成されており、制御部１１と協働して無線通信処理を行う構成をなしている。
【００２０】
また、制御部１１には、通話部１６、無線タグ処理部１８および画像認識モジュール２１がそれぞれ接続されている。通話部１６は、通話モジュール１６ａと、アンテナ１７とを備えている。通話モジュール１６ａは、使用者の音声を集音するためのマイクロフォンや、通話相手の音声を出力するスピーカ等を有しており、マイクロフォンで集音した音声から電気的な音声信号を生成するとともに、外部端末Ｐからの音声信号を復号化して音声に変換している。そして、通話モジュール１６ａは、基地局Ｎ等を介して外部端末Ｐとの間で音声信号の送受信を行うことで、当該外部端末Ｐとの通話が可能となるように構成されている。また、この通話部１６は、制御部１１に対して後述する通話要求の信号が受信されることにより、外部端末Ｐと通話可能な通話状態と、この通話状態が一時的に保留される通話保留状態とに切り替えられるように構成されている。なお、通話部１６は、「通話手段」の一例に相当する。
【００２１】
無線タグ処理部１８は、アンテナ１９及び制御部１１と協働して無線タグＲに記憶されるタグ情報の読取り、或いは無線タグに対するデータの書込みを行うように機能するものである。この無線タグ処理部１８は、公知の電波方式で伝送を行う回路として構成されており、図１にて概略的に示すように、発振器１８ａ、変調器１８ｂ、復調器１８ｃなどを備えている。なお、無線タグ処理部１８には、これら以外の公知構成（例えば、増幅器、フィルタ回路、整合回路等）も設けられているが、図１ではこれらについては図示を省略している。なお、無線タグ処理部１８は、「読取手段」の一例に相当する。
【００２２】
画像認識モジュール２１は、例えば、一次元コードや二次元コード等の情報コードを読み取るためのものである。この画像認識モジュール２１は、照明光源や受光センサ（図略）等を備えており、照明光源からの照射光が情報コードにて反射され反射光が受光センサにて受光されると、この反射光に応じた受光信号を受光センサから制御部１１に出力するように構成されている。
【００２３】
また、情報読取装置１０の筐体内には、電源となる電池２０が設けられており、この電池２０によって制御部１１や各種電気部品に所定の電流が供給されるようになっている。
【００２４】
次に、上述のように構成される情報読取装置１０において、制御部１１により実施される端末処理について、図２に示すフローチャートを用いて説明する。図２は、第１実施形態における制御部１１による端末処理の流れを例示するフローチャートである。
まず、図２のステップＳ１０１において、外部端末Ｐから通話要求を受信したか否かについて判定される。そして、外部端末Ｐから通話要求を受信すると（すなわち外部から通話着信を受けた場合）、ステップＳ１０１にてＹｅｓと判定されて、この段階ではまだ読取処理が実行されていないため、ステップＳ１１５にて通話接続処理がなされる。この処理では、通話部１６が上記通話状態に切り替えられることで、通話要求がなされた外部端末Ｐと通話可能となる。具体的には、当該情報読取装置１０の使用者の音声が通話部１６のマイクロフォンから入力されて外部端末Ｐの使用者に対し音声として出力されるとともに、外部端末Ｐの使用者の音声が通話部１６のスピーカから出力されることで、外部端末Ｐの使用者との通話が可能となる。この通話接続処理が終了すると、上記ステップＳ１０１からの処理が再びなされる。一方、ステップＳ１０１にて、通話要求を未だ受信していない場合には、ステップＳ１０１にてＮｏと判定される。なお、ステップＳ１０１の処理を行う制御部１１および通話部１６は、「通話要求受信手段」の一例に相当する。
【００２５】
ステップＳ１０１にて、Ｎｏと判定されると、ステップＳ１０３にて、無線タグＲに記憶されるタグ情報の読取操作がなされているか否かについて判定される。そして、読取操作がなされていなければ（Ｓ１０３でＮｏ）、ステップＳ１０１からの処理が繰り返される。一方、無線タグＲのタグ情報を読み取るための読取操作がキー操作部１４に対してなされることで制御部１１に対して読取操作信号が入力されると（Ｓ１０３でＹｅｓ）、ステップＳ１０５にて、読取処理が実行される。この読取処理では、無線タグＲのタグ情報が取得・解析されるとともに、この解析データが通信インターフェース１５等を介して外部装置に出力される。なお、ステップＳ１０３の処理を行う制御部１１および無線タグ処理部１８は、「処理状態検出手段」の一例に相当する。
【００２６】
そして、上記読取処理を実行中に、ステップＳ１０７にて、外部端末Ｐとの通話が保留にされているか否かについて判定される。この段階では、まだ通話部１６が通話保留状態となっていないので、ステップＳ１０７にてＮｏと判定され、ステップＳ１０９にて、外部端末Ｐから通話要求を受信したか否かについて判定される。そして、通話要求を受信していなければ（ステップＳ１０９でＮｏ）、読取処理が終了したか否かについての判定がステップＳ１１３にてなされる。そして、ステップＳ１１３にて、読取処理が終了したと判定されると（Ｓ１１３でＹｅｓ）、ステップＳ１１５にて通話接続処理が行われ、この通話接続処理が終了すると、上記ステップＳ１０１からの処理が再びなされる。なお、このように読取処理の実行中に通話要求を受信することなく、当該読取処理が終了した場合、通話部１６は保留状態となっておらず、また通話相手（外部端末Ｐ）が存在しないため、通話接続が可能な状態が維持されることとなる。
【００２７】
一方、ステップＳ１０７にてＮｏと判定された後、外部端末Ｐから通話要求を受信すると、ステップＳ１０９にてＹｅｓと判定されて、ステップＳ１１１にて通話保留処理がなされる。この処理では、通話部１６が上記通話保留状態に切り替えられることで、通話要求がなされた外部端末Ｐとの通話が保留にされる。そして、ステップＳ１０５における読取処理が終了するまで、ステップＳ１１３にてＮｏとの判定が繰り返される。またこの繰り返し判定中では、ステップＳ１１１にて通話保留処理がすでに行われているので、ステップＳ１０７にてＹｅｓと判定される。そして、ステップＳ１１３にて読取処理が終了したと判定されると（Ｓ１１３でＹｅｓ）、ステップＳ１１５にて通話接続処理がなされ、通話部１６が通話保留状態から通話状態に切り替えられる。このように、読取処理が実行されているときに通話要求を受信すると、この読取処理が終了するまで、通話部１６の通話保留状態が継続されることとなる。なお、ステップＳ１１１および後述のステップＳ１１５の処理を行う制御部１１は、「切替手段」の一例に相当する。
【００２８】
以上説明したように、本第１実施形態に係る情報読取装置１０では、制御部１１は、通話要求を受信し（Ｓ１０９）且つ読取処理中であることが検出されると（Ｓ１０５およびＳ１１３）、通話保留処理にて通話部１６を通話保留状態に切り替えている（Ｓ１１１）。また、通話保留状態時に、読取処理の終了が検出されると（Ｓ１１３）、通話部１６を通話状態に切り替えている（Ｓ１１５）。
【００２９】
これにより、当該情報読取装置１０において、無線タグＲとの通信に使用される周波数帯域と、外部端末Ｐとの通話に使用される周波数帯域とが重複していても、外部端末Ｐからの通話要求を受信したときに無線タグＲの読取処理をしている場合には、当該読取処理が終了するまで外部端末Ｐとの通話が保留にされる。このため、無線タグＲとの通信および外部端末Ｐとの通話に使用される電波同士の干渉を抑えることができる。また、この読取処理の終了が検出されてから外部端末Ｐとの通話の保留が解除されるので、通話が保留にされていた期間中に読み取られた無線タグＲのデータを確実に処理することができ、無線タグＲの読取効率の低下を抑制することができる。
【００３０】
［第２実施形態］
次に、本発明の第２実施形態に係る情報読取装置１０について、図３を参照して説明する。本第２実施形態では、通話部１６が通話保留状態であり且つ読取処理の実行中に、当該読取処理の処理状態が所定の条件を満たすと、通話部１６を通話状態に切り替える点が、上記第１実施形態にて述べた情報読取装置１０と主に異なる。したがって、第１実施形態の情報読取装置１０と実質的に同一の構成部分には、同一符号を付し、その説明を省略する。
【００３１】
以下、本第２実施形態に係る情報読取装置１０の制御部１１により実施される端末処理について、図３に示すフローチャートを用いて説明する。
まず、当該端末処理が開始されると、読取処理の処理状態を示すフラグＦが０に設定される。本第２実施形態では、上記読取処理は、無線タグＲのタグ情報を取得する取得処理と、この取得処理により取得されたタグ情報を解析する解析処理と、この解析処理により解析されたタグ情報の解析データを外部に出力する出力処理とからなる。そして、フラグＦ＝０は、いかなる読取処理も実施されていない状態を示す。
【００３２】
そして、図３のステップＳ２０１にて、上記第１実施形態と同様に、外部端末Ｐから通話要求を受信したか否かについて判定され、通話要求を受信すると（Ｓ２０１でＹｅｓ）、ステップＳ２１９にて通話接続処理がなされ、通話部１６が上記通話状態に切り替えられることで、通話要求がなされた外部端末Ｐと通話可能となる。そして、通話接続処理が終了すると（Ｓ２２１でＹｅｓ）、フラグＦ＝０に設定されていることから、読取処理および通話保留処理がなされることなく、ステップＳ２２３，Ｓ２２５にてＮｏと判定されて、上記ステップＳ２０１からの処理が再びなされることとなる。
【００３３】
一方、ステップＳ２０１にて、Ｎｏと判定されると、ステップＳ２０３にて、無線タグＲに記憶されるタグ情報の読取操作がなされているか否かについて判定される。そして、上記読取操作がなれていなければ（Ｓ２０３でＮｏ）、ステップＳ２０１からの処理が繰り返される。一方、ステップＳ２０３にて、上記読取操作がなされると（Ｓ２０３でＹｅｓ）、ステップＳ２０５にて、無線タグＲに記憶されるタグ情報の取得処理が実行される。
【００３４】
そして、上記タグ情報取得処理を実行中に、ステップＳ２０７にて、外部端末Ｐから通話要求を受信したか否かについて判定され、通話要求を受信すると（Ｓ２０７でＹｅｓ）、ステップＳ２０９にて通話保留処理がなされ、通話部１６が通話保留状態に切り替えられて、外部端末Ｐとの通話が保留にされる。ステップＳ２０９の後、ステップＳ２１１にてフラグＦが１に設定される。ここで、フラグＦ＝１は、タグ情報取得処理中に通話保留処理がなされた処理状態を示す。次に、ステップＳ２１３にて、タグ情報取得処理が終了したか否かについて判定される。上記タグ情報取得処理は、所定数の無線タグＲに記憶されるタグ情報を取得する処理であり、所定数のタグ情報が取得されるまで、ステップＳ２１３にてＮｏとの判定が繰り返される。一方、ステップＳ２０７にて、通話要求を受信していないと判定されると（Ｓ２０７でＮｏ）、ステップＳ２０９にて通話保留処理がなされることなく、ステップＳ２１３にて、タグ情報取得処理が終了したか否かについて判定がなされる。
【００３５】
ステップＳ２１３にて、タグ情報取得処理が終了したと判定されると（Ｓ２１３でＹｅｓ）、ステップＳ２１５の取得データ記憶処理にて、取得されたタグ情報がメモリ１２に記憶される。そして、ステップＳ２１５の後、ステップＳ２１７にて、外部端末Ｐとの通話が保留中であるか否かの判定が行われ、上記通話保留処理が実施されたことにより保留中と判定されると、ステップＳ２１９にて通話接続処理がなされ、通話部１６が通話保留状態から通話状態に切り替えられることで、外部端末Ｐと通話可能となる。ステップＳ２１９の後、ステップＳ２２１にて、外部端末Ｐとの通話が終了したか否かについて判定され、当該通話が終了するまでＮｏとの判定が繰り返される。そして、ステップＳ２２１にて通話が終了したと判定されると、ステップＳ２２３にて、フラグＦ＝１か否かについて判定される。この段階では、タグ情報取得処理中に通話保留処理がなされたことからフラグＦ＝１に設定されているので、ステップＳ２２３にてＹｅｓと判定される。
【００３６】
ステップＳ２２３にてＹｅｓと判定されるか、外部端末Ｐとの通話が保留中でない場合（すなわち、外部端末からの通話要求がない場合）でありステップＳ２１７にてＮｏと判定されると、ステップＳ２２７にて、上述のステップＳ２０５からの処理で取得されたタグ情報に対してタグ情報解析処理が実行される。
【００３７】
そして、上記タグ情報解析処理を実行中に、ステップＳ２２９にて、外部端末Ｐから通話要求を受信したか否かについて判定され、通話要求を受信すると（Ｓ２２９でＹｅｓ）、ステップＳ２３１にて通話保留処理がなされ、通話部１６が通話保留状態に切り替えられて、外部端末Ｐとの通話が保留にされる。ステップＳ２３１の後、ステップＳ２３３にてフラグＦが２に設定される。ここで、フラグＦ＝２は、タグ情報解析処理中に通話保留処理がなされた処理状態を示す。次に、ステップＳ２３５にて、タグ情報解析処理が終了したか否かについて判定される。上記タグ情報解析処理は、取得された所定数のタグ情報を解析する処理であり、所定数のタグ情報が解析されるまで、ステップＳ２３５にてＮｏとの判定が繰り返される。一方、ステップＳ２２９にて、通話要求を受信していないと判定されると（Ｓ２２９でＮｏ）、ステップＳ２３１にて通話保留処理がなされることなく、ステップＳ２３５にて、タグ情報解析処理が終了したか否かについて判定がなされる。
【００３８】
ステップＳ２３５にて、タグ情報解析処理が終了したと判定されると（Ｓ２３５でＹｅｓ）、ステップＳ２３７の解析データ記憶処理にて、解析されたタグ情報がメモリ１２に記憶される。そして、ステップＳ２３７の後、ステップＳ２３９にて、外部端末Ｐとの通話が保留中であるか否かの判定が行われ、上記通話保留処理が実施されたことにより保留中と判定されると、ステップＳ２１９にて通話接続処理がなされ、通話部１６が通話保留状態から通話状態に切り替えられることで、外部端末Ｐと通話可能となる。ステップＳ２１９の後、ステップＳ２２１にて、外部端末Ｐとの通話が終了したか否かについて判定され、当該通話が終了するまでＮｏとの判定が繰り返される。一方、ステップＳ２２１にて通話が終了したと判定されると、ステップＳ２２３にて、フラグＦ＝１か否かについて判定される。この段階では、タグ情報解析処理中に通話保留処理がなされたことからＦ＝２に設定されているので、ステップＳ２２３にてＮｏと判定され、ステップＳ２２５にてＹｅｓと判定される。
【００３９】
ステップＳ２２５にてＹｅｓと判定されるか、外部端末Ｐとの通話が保留中でない場合（すなわち、外部端末からの通話要求がない場合）でありステップＳ２３９にてＮｏと判定されると、ステップＳ２４１にて、出力処理が実行されて、タグ情報解析処理により解析されたタグ情報の解析データが外部へ出力され、上記ステップＳ２０１からの処理が再びなされ、フラグＦ＝０にリセットされる。
【００４０】
以上説明したように、本第２実施形態に係る情報読取装置１０では、読取処理は、無線タグＲのタグ情報を取得するタグ情報取得処理（Ｓ２０５）と、タグ情報取得処理により取得されたタグ情報を解析するタグ情報解析処理（Ｓ２２７）と、タグ情報解析処理により解析されたタグ情報の解析データを外部に出力する出力処理（Ｓ２４１）とから構成されている。そして、通話保留状態時に、このいずれかの処理の終了が検出されると、外部端末Ｐとの通話接続が可能な状態に切り替えられることとなる。
すなわち、外部端末Ｐからの通話要求を受信したときに、上記タグ情報取得処理、タグ情報解析処理、出力処理のいずれかの読取処理を実行している場合には、実行されている当該処理が終了すると、後の処理を行うことなく、外部端末Ｐとの通話の保留が解除されることとなる。このように、外部端末Ｐからの通話要求を受信すると、読取処理の区切りの良いところでこの読取処理を一旦終了させて、外部端末Ｐとの通話の保留を解除するようにしているので、通話が保留にされていた期間中に読み取られた無線タグのデータを確実に処理することができ、無線タグＲの読取効率の低下を抑制することができるとともに、通話相手（すなわち外部端末）の待ち時間を軽減することができる。
【００４１】
特に、本第２実施形態に係る情報読取装置１０では、タグ情報取得処理（Ｓ２０５）は、所定数の無線タグＲのタグ情報を取得するとその処理を終了するようにしており、また、タグ情報解析処理（Ｓ２２７）は、タグ情報取得処理により取得された所定数のタグ情報を解析するとその処理を終了するようにしている。
すなわち、所定数の無線タグＲのタグ情報に対して上記タグ情報取得処理またはタグ情報解析処理を実行しているときに、外部端末Ｐからの通話要求を受信した場合であっても、実行しているタグ情報取得処理またはタグ情報解析処理が途中で中止されることなく終了する。これにより、複数（所定数）の無線タグを連続して読み取る場合であっても、無線タグＲの読取効率の低下を抑制することができるとともに、通話相手（すなわち外部端末）の待ち時間を軽減することができる。
【００４２】
なお、上記タグ情報取得処理では、１つの無線タグＲに記憶されるタグ情報を取得することで、当該取得処理を終了してもよい。また、上記タグ情報解析処理では、取得した１つのタグ情報を解析することで、当該解析処理を終了してもよい。
【００４３】
［第３実施形態］
次に、本発明の第３実施形態に係る情報読取装置１０について、図４を参照して説明する。本第３実施形態では、外部端末Ｐから通話要求を受信してからの経過時間を計時し、この経過時間に基づいて通話部１６を通話状態に切り替える点が、上記第１実施形態にて述べた情報読取装置１０と主に異なる。したがって、第１実施形態の情報読取装置１０と実質的に同一の構成部分には、同一符号を付し、その説明を省略する。
【００４４】
以下、本第３実施形態に係る情報読取装置１０の制御部１１により実施される端末処理について、図４に示すフローチャートを用いて説明する。
まず、上記第１実施形態と同様に、図４のステップＳ３０１にて、外部端末Ｐから通話要求を受信したか否かについて判定され、通話要求を受信すると（Ｓ３０１でＹｅｓ）、ステップＳ３１９にて通話接続処理がなされ、当該情報読取装置１０は通話状態に設定されて外部端末Ｐと通話可能となる。一方、ステップＳ３０１にて、通話要求を未だ受信していない場合には、ステップＳ３０１にてＮｏと判定される。
【００４５】
ステップＳ３０１にて、Ｎｏと判定されると、ステップＳ３０３にて、無線タグＲに記憶されるタグ情報の読取操作がなされているか否かについて判定される。そして、読取操作がなされていなければ（Ｓ３０３でＮｏ）、ステップＳ３０１からの処理が繰り返される。一方、ステップＳ３０３にて、読取操作がなされると（Ｓ３０３でＹｅｓ）、ステップＳ３０５にて、読取処理が実行される。
【００４６】
そして、上記読取処理を実行中に、ステップＳ３０７にて、外部端末Ｐとの通話が保留にされているか否かについて判定される。この段階では、まだ通話部１６が通話保留状態となっていないので、ステップＳ３０７にてＮｏと判定され、ステップＳ３０９にて、外部端末Ｐから通話要求を受信したか否かについて判定される。そして、通話要求を受信していなければ（Ｓ３０９でＮｏ）、上記読取処理が終了するまで、ステップＳ３２１にてＮｏとの判定が繰り返される。そして、ステップＳ３２１にて、読取処理が終了したと判定されると（Ｓ３２１でＹｅｓ）、ステップＳ３１９にて、通話接続処理が行われる。そして、通話接続処理が終了すると、上記ステップＳ３０１からの処理が再びなされることとなる。なお、このように読取処理の実行中に通話要求を受信することなく、当該読取処理が終了した場合、通話部１６は保留状態となっておらず、また通話相手（外部端末Ｐ）が存在しないため、通話接続が可能な状態が維持されることとなる。
【００４７】
一方、ステップＳ３０７にてＮｏと判定された後、外部端末Ｐから通話要求を受信すると、ステップＳ３０９にてＹｅｓと判定されて、ステップＳ３１１の通話保留処理がなされ、通話部１６が通話保留状態に切り替えられ、外部端末Ｐとの通話が保留にされる。そして、ステップＳ３１３にて計時処理がなされて、外部端末Ｐから通話要求を受信してからの経過時間が計時される。このステップＳ３１３の計時処理は、公知の時計回路、タイマ回路などによって構成される図略の計時装置によって行われる。なお、ステップＳ３１３の計時処理を行う計時装置は、「計時手段」の一例に相当する。
【００４８】
次に、ステップＳ３１５にて、読取処理が終了したか否かの判定がなされ、読取処理が終了したと判定されると（Ｓ３１５でＹｅｓ）、ステップＳ３１９にて、通話接続処理が行われる。一方、まだ読取処理が終了していない場合には（Ｓ３１５でＮｏ）、ステップＳ３１７において、ステップＳ３１３にて計時される経過時間が所定時間を超えたか否かについて判定される。なお、上記所定時間は、ステップＳ３０５における読取処理にかかる時間よりも十分に長い時間に設定されている。ここで、上記経過時間が所定時間を超えるまではステップＳ３１７にてＮｏと判定されて、ステップＳ３０５からの処理が繰り返される。またこの繰り返し判定中では、ステップＳ３１１にて通話保留処理がすでに行われているので、ステップＳ３０７にてＹｅｓと判定される。そして、ステップＳ３１７にて上記経過時間が所定時間を超えたと判定されると（Ｓ３１７でＹｅｓ）、ステップＳ３１９にて、通話部１６が通話保留状態から通話状態に切り替えられる。このように、読取処理が実行されているときに通話要求を受信することで通話保留状態になると、この読取処理が終了しているか否かにかかわらず、通話要求を受信してからの経過時間が所定時間を超えた場合には、通話部１６が通話保留状態から通話状態に切り替えられることとなる。
【００４９】
以上説明したように、本第３実施形態に係る情報読取装置１０では、外部端末Ｐから通話要求を受信してからの経過時間を計時処理により計時している（Ｓ３１３）。そして、計時された経過時間が所定時間を超えると、読取処理の処理状態にかかわらず、通話部１６を通話状態に切り替えるようにしている。
これにより、例えば、読取処理でエラー等が発生して、読取処理の終了が検出できない場合であっても、外部端末の通話要求を受信してからの経過時間が所定時間を超えると、外部端末との通話の保留を確実に解除することができる。
【００５０】
なお、本発明は上記各実施形態に限定されるものではなく、以下のように具体化してもよく、その場合でも、上記各実施形態と同等の作用・効果が得られる。
（１）上記第２実施形態において、ステップＳ２０９の後に計時処理を設け、外部端末Ｐから通話要求を受信してからの経過時間を計時するようにしてもよい。そして、ステップＳ２１３におけるＮｏとの判定の後に、この経過時間が所定時間を超えたか否かの判定を行い、所定時間を超えた場合には、ステップＳ２１９にて通話接続処理を行うようにすることもできる。これにより、例えば、タグ情報取得処理でエラー等が発生して、取得処理の終了が検出できない場合であっても、外部端末の通話要求を受信してからの経過時間が所定時間を超えると、外部端末との通話の保留を確実に解除することができる。
【００５１】
（２）上記第２実施形態において、ステップＳ２３１の後に計時処理を設け、外部端末Ｐから通話要求を受信してからの経過時間を計時するようにしてもよい。そして、ステップＳ２３５におけるＮｏとの判定の後に、この経過時間が所定時間を超えたか否かの判定を行い、所定時間を超えた場合には、ステップＳ２１９にて通話接続処理を行うようにすることもできる。これにより、例えば、タグ情報解析処理でエラー等が発生して、解析処理の終了が検出できない場合であっても、外部端末の通話要求を受信してからの経過時間が所定時間を超えると、外部端末との通話の保留を確実に解除することができる。
【００５２】
（３）上記第１実施形態から第３実施形態において、通話保留処理では、さらに当該情報読取装置１０が読取操作を実行中である旨のアナウンスを外部端末Ｐに対して流すようにしてもよい。
【符号の説明】
【００５３】
１０…情報読取装置
１１…制御部（処理状態検出手段、処理状態検出手段、通話要求受信手段、切替手段）
１６…通話部（通話手段、通話要求受信手段）
１８…無線タグ処理部（読取手段、処理状態検出手段）
Ｐ…外部端末
Ｒ…無線タグ
【図１】
2011199367.tif 000003
【図２】
2011199367.tif 000004
【図３】
2011199367.tif 000005
【図４】
2011199367.tif 000006